(57)【要約】【課題】施工性を向上させることができる階段及び階段の組立方法を提供する。【解決手段】作業者は、先に第１の受け材３１１を躯体Ａ１に取り付け、後から第２の受け材３１２を、第１の受け材３１１に係合させつつ躯体Ａ１に取り付ける。従って、第２の受け材３１２の取り付け時に、例えば高さ方向の位置決め作業が簡略化される。また、作業者は、第１の固定具６１の受材取付部６１２を、第１の受け材３１１の嵌込凹部４１１に嵌め込み、第１の受け材３１１に取り付ける。第１の固定具６１の第１の受け材３１１に対する位置決めは、受材取付部６１２を嵌込凹部４１１に嵌め込めば、自然に行なわれる。つまり、第１の固定具６１の第１の受け材３１１に対する位置決め作業が簡略化される。従って、第１の固定具６１の躯体Ａ１に対する位置決め作業を簡略化することができる。この結果、階段１１の施工性を向上させることができる。【選択図】図８
2015227539.tif 000002
【特許請求の範囲】
【請求項１】
夫々の段鼻の向きが異なるよう配された複数枚の踏板と、
躯体に取り付けられており、夫々が少なくとも１枚の踏板の下面を受け止めている複数個の受け材と
を含む階段において、
前記踏板に取り付けられている踏板取付部と、該踏板取付部に連結されており、前記受け材に取り付けられている受材取付部とを有し、前記踏板を前記受け材に固定している固定具
を含み、
少なくとも１個の前記受け材には、前記受材取付部が嵌め込まれている嵌込凹部が設けられており、
下階側の踏板を受け止めている前記受け材と上階側の踏板を受け止めている受け材とが係合していることを特徴とする階段。
【請求項２】
前記固定具は、互いに交差する方向に配された何れも平板状の踏板取付部及び受材取付部を有し、
前記踏板取付部は、該踏板取付部の上面に前記踏板の下面が載置された状態で、前記踏板に取り付けられており、
前記受け材は、前記踏板の下面を受け止める受止面を上端側に有し、
前記嵌込凹部は、前記受止面に交差する方向の一面に開口しており、
前記受止面と、該受止面によって下面が受け止められている踏板に取り付けられた踏板取付部の上面とは、面一に配されていることを特徴とする請求項１に記載の階段。
【請求項３】
前記嵌込凹部は、前記受止面及び前記一面に開口していることを特徴とする請求項２に記載の階段。
【請求項４】
各固定具は、一体に設けられた前記踏板取付部及び受材取付部からなることを特徴とする請求項１乃至３の何れか一項に記載の階段。
【請求項５】
前記下階側の踏板を受け止めている前記受け材と前記上階側の踏板を受け止めている受け材との係合は、
前記下階側の踏板を受け止めている前記受け材が、前記上階側の踏板を受け止めている受け材を受け止めることによることを特徴とする請求項１乃至４の何れか一項に記載の階段。
【請求項６】
請求項１乃至５の何れか一項に記載の階段の組立方法において、
下階側の踏板を受け止めるべき前記受け材及び上階側の踏板を受け止めるべき受け材の内、一方を前記躯体に取り付ける工程と、
他方を前記一方に係合させつつ前記躯体に取り付ける工程と、
前記受け材に設けられている嵌込凹部に前記受材取付部を嵌め込んで、該受材取付部を前記受け材に取り付ける工程と、
前記受け材に前記踏板を載置する工程と、
前記受け材に載置されている踏板に、前記踏板取付部を取り付ける工程と
を備えることを特徴とする階段の組立方法。
【発明の詳細な説明】
【技術分野】
【０００１】
本発明は、夫々の段鼻の向きが異なる複数枚の踏板が配された階段及び階段の組立方法に関する。
【背景技術】
【０００２】
廻り階段、かね折れ階段、折り返し階段、又は、下廻り部分若しくは上廻り部分を含む直階段等の階段には、夫々の段鼻の向きが異なる複数枚の踏板が配されている。
仮に、各踏板を、壁体又は柱体等の躯体に直接的に取り付ける場合、躯体そのものを加工しなければならないので、施工性が悪い。
故に、従来、踏板を支持する中間支持部材と、中間支持部材に踏板を取り付ける受け金具とが用いられる（特許文献１参照）。
【０００３】
特許文献１に記載の階段（文中「廻り階段」）の場合、中間支持部材は、上部が階段状に形成された縦姿勢の平板である。中間支持部材は壁体に釘づけされる。各踏板は、中間支持部材の階段状部分の上面（即ち、中間支持部材の上端面）に載置される。受け金具は、Ｌ字状に屈曲した第１の金属帯板材と、第１の金属帯板材のＬ字の一側と他側とを斜交いに連結し、第１の金属帯板材を補強する第２の金属帯板材とを溶接してなる。受け金具は、Ｌ字の一側が中間支持部材の一面（表側の面）に釘づけされ、Ｌ字の他側が踏板の下面に釘づけされる。以上の結果、踏板は、中間支持部材及び受け金具に支持される。
【０００４】
しかしながら、特許文献１に記載の階段においては、中間支持部材の高さ方向の位置決め作業が煩雑である。何故ならば、最下位置の中間支持部材は、下端部を床面に載置すれば高さ方向に容易に位置決めされるが、これ以外の複数個の中間支持部材は、個別に高さ方向の位置決めを行なわなければならないからである。
【０００５】
従って、階段の施工性を向上させるべく、中間支持部材同士を係合させることが為される（特許文献２参照）。
特許文献２に記載の階段（文中「廻り階段」）の場合、作業者は、下階側の中間支持部材（文中「支持台」）に、上階側の中間支持部材を載置する。故に、最下位置の中間支持部材を除く中間支持部材の高さ方向の位置決め作業を簡略化することができる。
【先行技術文献】
【特許文献】
【０００６】
【特許文献１】特許第３３４８１６１号公報
【特許文献２】特開２００４−１１６０８８号公報
【発明の概要】
【発明が解決しようとする課題】
【０００７】
特許文献１に記載の階段においては、受け金具の位置決め作業が煩雑である。何故ならば、複数個の受け金具夫々について、中間支持部材の表側の面（これは、縦姿勢の平坦面である）における位置決めを、作業者が手作業で行なわなければならないからである。
故に、受け金具の位置決め作業の簡略化が望まれている。何故ならば、受け金具の位置決め作業の簡略化は、階段の施工性の向上につながるからである。
特許文献２には、受け金具の位置決め作業の簡略化については言及されていない。
【０００８】
本発明は斯かる事情に鑑みてなされたものであり、その主たる目的は、施工性を向上させることができる階段及び階段の組立方法を提供することにある。
【課題を解決するための手段】
【０００９】
本発明に係る階段は、夫々の段鼻の向きが異なるよう配された複数枚の踏板と、躯体に取り付けられており、夫々が少なくとも１枚の踏板の下面を受け止めている複数個の受け材とを含む階段において、前記踏板に取り付けられている踏板取付部と、該踏板取付部に連結されており、前記受け材に取り付けられている受材取付部とを有し、前記踏板を前記受け材に固定している固定具を含み、少なくとも１個の前記受け材には、前記受材取付部が嵌め込まれている嵌込凹部が設けられており、下階側の踏板を受け止めている前記受け材と上階側の踏板を受け止めている受け材とが係合していることを特徴とする。
【００１０】
本発明に係る階段は、前記固定具は、互いに交差する方向に配された何れも平板状の踏板取付部及び受材取付部を有し、前記踏板取付部は、該踏板取付部の上面に前記踏板の下面が載置された状態で、前記踏板に取り付けられており、前記受け材は、前記踏板の下面を受け止める受止面を上端側に有し、前記嵌込凹部は、前記受止面に交差する方向の一面に開口しており、前記受止面と、該受止面によって下面が受け止められている踏板に取り付けられた踏板取付部の上面とは、面一に配されていることを特徴とする。
【００１１】
本発明に係る階段は、前記嵌込凹部は、前記受止面及び前記一面に開口していることを特徴とする。
【００１２】
本発明に係る階段は、各固定具は、一体に設けられた前記踏板取付部及び受材取付部からなることを特徴とする。
【００１３】
本発明に係る階段は、前記下階側の踏板を受け止めている前記受け材と前記上階側の踏板を受け止めている受け材との係合は、前記下階側の踏板を受け止めている前記受け材が、前記上階側の踏板を受け止めている受け材を受け止めることによることを特徴とする。
【００１４】
本発明に係る階段の組立方法は、本発明に係る階段の組立方法において、下階側の踏板を受け止めるべき前記受け材及び上階側の踏板を受け止めるべき受け材の内、一方を前記躯体に取り付ける工程と、他方を前記一方に係合させつつ前記躯体に取り付ける工程と、前記受け材に設けられている嵌込凹部に前記受材取付部を嵌め込んで、該受材取付部を前記受け材に取り付ける工程と、前記受け材に前記踏板を載置する工程と、前記受け材に載置されている踏板に、前記踏板取付部を取り付ける工程とを備えることを特徴とする。
【００１５】
本発明にあっては、作業者は、先に一の受け材を躯体に取り付け、後から他の受け材を、一の受け材に係合させつつ躯体に取り付ける。従って、他の受け材の取り付け時に、例えば高さ方向の位置決め作業が簡略化される。
また、作業者は、固定具の受材取付部を、受け材の嵌込凹部に嵌め込み、受け材に取り付ける。受材取付部、延いては固定具の受け材に対する位置決めは、固定具の受材取付部を受け材の嵌込凹部に嵌め込めば、自然に行なわれる。つまり、固定具の受け材に対する位置決め作業が簡略化される。
更に、固定具の受材取付部が受け材の嵌込凹部に嵌め込まれていると、固定具を受け材に取り付ける（例えばビス留めする）際の固定具の位置ずれが抑制される。故に、固定具の受け材に対する取り付け作業が簡略化される。
【００１６】
本発明にあっては、踏板の下面は、受け材の受止面と、受け材に取り付けられている固定具の踏板取付部の上面とで受け止めることができる。故に、受け材の受止面と踏板の下面との接触面積を、受け材のみで踏板を受け止める場合ほど広くする必要はない。この結果、階段の設計上の制約を緩和することができる。つまり、階段の設計が容易である。
また、固定具は、各平板状の踏板取付部と受材取付部とが、互いに交差する方向に配された簡単な構成である。故に、固定具の製造が容易であり、固定具の取り扱いが簡便である。
【００１７】
本発明にあっては、受け材の嵌込凹部が、受け材の一面における開口と、受け材の受止面における開口とを有する。
作業者は、受け材の一面における開口、及び、受け材の受止面における開口の内、少なくとも何れか一方の開口を通して、固定具の受材取付部を受け材の嵌込凹部に嵌め込む。故に、固定具の受材取付部を受け材の嵌込凹部に嵌め込む際の作業性を向上させることができる。
【００１８】
本発明にあっては、各固定具は、踏板取付部と受材取付部とが一体に設けられている。しかも、踏板取付部と受材取付部とを斜交いに連結して踏板取付部と受材取付部と補強する補強部を有していない。即ち、固定具の構成が簡単である。故に、固定具の製造が容易であり、固定具の取り扱いが簡便である。
【００１９】
本発明にあっては、作業者は、先に下階側の踏板を受け止めるべき受け材を躯体に取り付け、後から上階側の踏板を受け止めるべき受け材を、下階側の受け材に載置して、躯体に取り付ける。従って、上階側の受け材の取り付け時に、少なくとも高さ方向の位置決め作業が簡略化される。
【発明の効果】
【００２０】
本発明の階段及び階段の組立方法による場合、固定具の受け材に対する位置決め作業が簡略化され、受け材の躯体に対する位置決め作業が簡略化される。従って、固定具の躯体に対する位置決め作業を簡略化することができる。更に、固定具の受け材に対する取り付け作業が簡略化される。以上の結果、階段の施工時間を短縮することができ、階段の仕上がりの均一化を図ることができる。換言すれば、階段の施工性を向上させることができる。
【図面の簡単な説明】
【００２１】
【図１】本発明の実施の形態１に係る階段の構成を略示する平面図である。
【図２】階段の要部構成を略示する斜視図である。
【図３】階段の要部構成を略示する分解斜視図である。
【図４】階段が備える第１〜第３の受け材の構成を略示する側面図及び正面図である。
【図５】階段の組立方法（第１の受け材の取り付け）を説明する斜視図である。
【図６】階段の組立方法（第２の受け材の取り付け）を説明する斜視図である。
【図７】階段の組立方法（第３の受け材の取り付け）を説明する斜視図である。
【図８】階段の組立方法（第１〜第３の受け材に対する固定具の取り付け）を説明する斜視図である。
【図９】本発明の実施の形態２に係る階段の要部構成を略示する平面図である。
【図１０】階段が備える第１〜第３の受け材の構成を略示する側面図及び正面図である。
【図１１】本発明の実施の形態３に係る階段の要部構成を略示する平面図である。
【図１２】階段が備える第１及び第２の受け材の構成を略示する側面図及び正面図である。
【図１３】本発明の実施の形態４に係る階段の要部構成を略示する平面図である。
【図１４】階段が備える第１〜第３の受け材の構成を略示する側面図及び正面図である。
【図１５】本発明の実施の形態５に係る階段の要部構成を略示する平面図である。
【図１６】階段が備える第１及び第２の受け材の構成を略示する側面図及び正面図である。
【図１７】本発明の実施の形態６に係る階段の要部構成を略示する平面図である。
【図１８】階段が備える第１〜第３の受け材の構成を略示する側面図及び正面図である。
【図１９】本発明の実施の形態７に係る階段の要部構成を略示する平面図である。
【図２０】階段が備える第１〜第３の受け材の構成を略示する側面図及び正面図である。
【図２１】本発明の実施の形態８に係る階段の要部構成を略示する平面図である。
【図２２】階段が備える第１及び第２の受け材の構成を略示する側面図及び正面図である。
【発明を実施するための形態】
【００２２】
以下、本発明を、その実施の形態を示す図面に基づいて詳述する。以下の説明では、図において矢符で示す上下、前後、及び左右を使用する。
【００２３】
実施の形態  １．
図１は、本発明の実施の形態１に係る階段１１の構成を略示する平面図である。図中の矢符は、階段１１を上がる方向を示している。
図２及び図３は、階段１１の要部構成を略示する斜視図及び分解斜視図である。
図４は、階段１１が備える第１〜第３の受け材３１１〜３１３（各後述）の構成を略示する側面図及び正面図である。
【００２４】
図１に示すように、階段１１は、躯体Ａ１と壁面Ｂ１〜Ｂ３との間に設けられている。躯体Ａ１は、左右両面及び前端面を有する壁体である。壁面Ｂ１は躯体Ａ１の左面（下階側の面）に対面する右向きの平面であり、壁面Ｂ２は躯体Ａ１の前端面に対面する後ろ向きの平面であり、壁面Ｂ３は躯体Ａ１の右面（上階側の面）に対面する左向きの平面である。
階段１１は、下階側の直階段構造と、上階側の直階段構造と、下階側及び上階側の直階段構造同士を連結する廻り階段構造とを備えている。下階側の直階段構造の昇降方向と上階側の直階段構造の昇降方向とは平面視で180 °異なる。本実施の形態の廻り階段構造は、いわゆる変形４段右回りＵターン型である。
【００２５】
階段１１の下階側の直階段構造は、各矩形状の複数枚（図中５枚）の踏板２０１，２０１，…を備えている。踏板２０１，２０１，…は、左右方向両端部が壁面Ｂ１及び躯体Ａ１の左面に取り付けられている。
階段１１の上階側の直階段構造は、各矩形状の複数枚（図中５枚）の踏板２０２，２０２，…を備えている。踏板２０２，２０２，…は、左右方向両端部が躯体Ａ１の右面及び壁面Ｂ２に取り付けられている。踏板２０２の段鼻の向きは、踏板２０１の段鼻に対して躯体Ａ１の前端部を中心に約180 °上階側へ回転した向きである。
【００２６】
各踏板２０１，２０２夫々の下面における段鼻近傍には、矩形状の蹴込板７０１，７０２が取り付けられている。
以下では、階段１１の直階段構造の構成及び組み立て手順に関する説明を省略する。
【００２７】
階段１１の廻り階段構造は、各１枚の踏板２１１〜２１４と、各１個の第１〜第３の受け材３１１〜３１３と、３個の第１の固定具６１，６１，…及び１個の第２の固定具６２とを備えている。図２及び図３には、階段１１の廻り階段構造が示されている。
ここで、図１〜図４を参照しつつ、階段１１の廻り階段構造の構成について説明する。
まず、踏板２１１〜２１４について説明する（図１〜図３参照）。
【００２８】
踏板２１１は、下底部分が段鼻に相当する直角台形状をなし、段鼻の向きが踏板２０１の段鼻の向きと同じである。踏板２１１は、上底部分が壁面Ｂ２に取り付けられており、上底及び下底夫々に対して直角状の脚部分が壁面Ｂ１に取り付けられており、斜辺と下底とからなる角部分が、第１の受け材３１１及び第１の固定具６１を介して、躯体Ａ１の前端部に取り付けられている。
【００２９】
踏板２１２は、斜辺部分が段鼻に相当する直角三角形状をなし、段鼻の向きが踏板２１１（又は踏板２０１）の段鼻に対して躯体Ａ１の前端部を中心に約60°上階側へ回転した向きである。踏板２１２は、短い方の隣辺部分が壁面Ｂ２に取り付けられており、斜辺と長い方の隣辺とからなる角部分が、第２の受け材３１２及び第２の固定具６２を介して、躯体Ａ１の前端部に取り付けられている。
【００３０】
踏板２１３は、長い方の隣辺部分が段鼻に相当する直角三角形状をなし、段鼻の向きが踏板２１１の段鼻に対して躯体Ａ１の前端部を中心に約90°上階側へ回転した向きである。踏板２１３は、短い方の隣辺部分が壁面Ｂ２に取り付けられており、斜辺と長い方の隣辺とからなる角部分が、第２の受け材３１２及び第１の固定具６１を介して、躯体Ａ１の前端部に取り付けられている。
【００３１】
踏板２１４は、斜辺部分が段鼻に相当する直角台形状をなし、踏板２１１の段鼻に対して躯体Ａ１の前端部を中心に約120 °上階側へ回転した向き（即ち、踏板２０２の段鼻に対して躯体Ａ１の前端部を中心に約60°下階側へ回転した向き）である。踏板２１４は、上底部分が壁面Ｂ２に取り付けられており、上底及び下底夫々に対して直角状の脚部分が壁面Ｂ３に取り付けられており、斜辺と下底とからなる角部分が、第３の受け材３１３及び第１の固定具６１を介して、躯体Ａ１の前端部に取り付けられている。
【００３２】
踏板２１１〜２１４夫々の下面における段鼻近傍には、矩形状の蹴込板７１１〜７１４が取り付けられている。このために、踏板２１１〜２１４夫々の下面には、段鼻に平行な図示しない嵌合溝が形成されている。この嵌合溝に、各蹴込板７１１〜７１４の上辺部が嵌め込まれる。
踏板２１１〜２１４夫々の上面における段鼻近傍には、滑り止め（例えば段鼻に平行な溝）が形成されている。
【００３３】
次に、第１及び第２の固定具６１，６２について説明する（図２及び図３参照）。
各第１の固定具６１は、互いに90°に交差する方向に配された各矩形平板状の踏板取付部６１１及び受材取付部６１２からなる。踏板取付部６１１及び受材取付部６１２は、金属製の帯状平板部材を直角に折り曲げることによって、一体に設けられている。換言すれば、第１の固定具６１は、Ｌ字状に屈曲した帯状をなしている。踏板取付部６１１及び受材取付部６１２は、踏板取付部６１１及び受材取付部６１２夫々の一方の短辺部分が連結されている。踏板取付部６１１及び受材取付部６１２夫々には、ビスを挿通すべき貫通孔が複数個ずつ形成されている。
【００３４】
第２の固定具６２は第１の固定具６１と略同様の構成であり、踏板取付部６１１に対応する直角台形状の踏板取付部６２１と、受材取付部６１２に相当する矩形状の受材取付部６２２からなる。踏板取付部６２１及び受材取付部６２２は、踏板取付部６２１の斜辺部分と受材取付部６２２の一方の短辺部分とが連結されている。
【００３５】
第１及び第２の固定具６１，６２の受材取付部６１２，６２２の内面を前側に向けると、第１の固定具６１の踏板取付部６１１は受材取付部６１２から見て前方へ突出するが、第２の固定具６２の踏板取付部６２１は受材取付部６２２から見て左斜め前方へ突出する。
第１及び第２の固定具６１，６２は、何れも、特許文献１に記載の受け金具が備えている第２の金属帯板材に相当するもの（例えば踏板取付部６１１，６２１と受材取付部６１２，６２２とを斜交いに連結することによって、これらを補強するもの）を備えていない。
【００３６】
次に、第１〜第３の受け材３１１〜３１３について説明する（図２〜図４参照）。
第１の受け材３１１は、前上隅を切り欠いたような平板状部材である。第１の受け材３１１は、図示しない矩形平板状部材の前上隅を矩形状に切削してなる。
前述した矩形平板状部材の前上隅の切削により、第１の受け材３１１の前端部には、係合凹部８１１及び係合凸部８１２が設けられている。係合凸部８１２の上端面は、係合凹部８１１の内面の一部である。係合凹部８１１の内部における第１の受け材３１１の前端面を基準とする係合凸部８１２の突出長さは、第２の受け材３１２の厚さと同程度である。
第１の受け材３１１の最上端面は、受止面５１１である。
【００３７】
第１の受け材３１１には、矩形状の嵌込凹部４１１が設けてある。
嵌込凹部４１１は、第１の受け材３１１の左面（図４に向かって正面）と受止面５１１とに開口している。第１の受け材３１１の左面における嵌込凹部４１１の周縁形状は、第１の固定具６１の受材取付部６１２の形状に対応する矩形状である。以下では、嵌込凹部４１１の受材取付部６１２の形状に対応する内面を、嵌込凹部４１１の内底面という。嵌込凹部４１１の左右方向の長さ（嵌込凹部４１１の深さ）は、受材取付部６１２の厚さに対応する。
第１の固定具６１の踏板取付部６１１の外面を上向きにし、受材取付部６１２の外面を嵌込凹部４１１の内底面に対面させて、受材取付部６１２を嵌込凹部４１１に嵌め込むと、第１の固定具６１の踏板取付部６１１の外面（上面）は、受止面５１１に面一になる。
【００３８】
第２の受け材３１２は、左上隅及び右下隅夫々を切り欠いたような、上部が直階段状の平板状部材である。第２の受け材３１２は、矩形平板状部材の左上隅及び右下隅夫々を矩形状に切削し、右上隅側を４段の直階段状に切削してなる。
前述した矩形平板状部材の右下隅の切削により、第２の受け材３１２の右端部には、係合凸部８１３及び係合凹部８１４が設けられている。係合凸部８１３の下端面は、係合凹部８１４の内面の一部である。係合凹部８１４の内部における第２の受け材３１２の左端面を基準とする係合凸部８１３の突出長さは、第１の受け材３１１の厚さと同程度である。
【００３９】
前述した矩形平板状部材の左上隅の切削により、第２の受け材３１２の左端部には、係合凹部８１５及び係合凸部８１６が設けられている。係合凸部８１６の上端面は、係合凹部８１５の内面の一部である。係合凹部８１５の内部における第２の受け材３１２の右端面を基準とする係合凸部８１６の突出長さは、第３の受け材３１３の厚さと同程度である。
【００４０】
第２の受け材３１２の直階段状の部分の４個の踏み面は、受止面５１２〜５１５である。
第２の受け材３１２の下端面と受止面５１２〜５１５との離隔距離は、受止面５１２〜５１５の順に長くなる。つまり、受止面５１２は最下段であり、受止面５１５は最上段である。
第２の受け材３１２の係合凸部８１３の下端面が、第１の受け材３１１の係合凸部８１２の上端面に載置されると、第２の受け材３１２の受止面５１２は、第１の受け材３１１の受止面５１１と面一になる。
【００４１】
第２の受け材３１２には、矩形状の嵌込凹部４１２，４１３が設けてある。
嵌込凹部４１２は、第２の受け材３１２の前面（図４に向かって正面）、受止面５１３、及び受止面５１３から垂下する右端面夫々に開口している。第２の受け材３１２の前面における嵌込凹部４１２の周縁形状は、第２の固定具６２の受材取付部６２２の形状に対応する矩形状である。以下では、嵌込凹部４１２の受材取付部６２２の形状に対応する内面を、嵌込凹部４１２の内底面という。嵌込凹部４１２の左右方向の長さ（嵌込凹部４１２の深さ）は、受材取付部６２２の厚さに対応する。
【００４２】
第２の固定具６２の踏板取付部６２１の外面を上向きにし、受材取付部６２２の外面を嵌込凹部４１２の内底面に対面させて、受材取付部６２２を嵌込凹部４１２に嵌め込むと、第２の固定具６２の踏板取付部６２１の外面（上面）は、受止面５１３に面一になる。
【００４３】
嵌込凹部４１３は、第２の受け材３１２の前面と受止面５１４とに開口している。嵌込凹部４１３の形状及び寸法は、第１の受け材３１１の嵌込凹部４１１の形状及び寸法と同じである。故に、第１の固定具６１の踏板取付部６１１の外面を上向きにし、受材取付部６１２の外面を嵌込凹部４１３の内底面に対面させて、受材取付部６１２を嵌込凹部４１３に嵌め込むと、第１の固定具６１の踏板取付部６１１の外面（上面）は、受止面５１４に面一になる。
【００４４】
第３の受け材３１３は、前下隅及び後上隅夫々を切り欠いたような板状部材である。第３の受け材３１３は、矩形板状部材の前下隅及び後上隅を矩形状に切削してなる。
前述した矩形板状部材の前下隅の切削により、第３の受け材３１３の前端部には、係合凸部８１７及び係合凹部８１８が設けられている。係合凸部８１７の下端面は、係合凹部８１８の内面の一部である。係合凹部８１８の内部における第３の受け材３１３の前端面を基準とする係合凸部８１７の突出長さは、第２の受け材３１２の厚さと同程度である。
【００４５】
前述した矩形板状部材の前下隅の切削により、第３の受け材３１３の後上端部には、切り欠き状の連結凹部が設けられている。この連結凹部には、上階側の図示しないササラ桁が連結される。
第３の受け材３１３の最上端面は、受止面５１６である。
第３の受け材３１３の係合凸部８１７の下端面が、第２の受け材３１２の係合凸部８１６の上端面に載置されると、第３の受け材３１３の受止面５１６は、第２の受け材３１２の受止面５１５と面一になる。
【００４６】
第３の受け材３１３には、矩形状の嵌込凹部４１４が設けてある。
嵌込凹部４１４は、第３の受け材３１３の右面（図４に向かって正面）と受止面５１６とに開口している。嵌込凹部４１４の形状及び寸法は、第１の受け材３１１の嵌込凹部４１１の形状及び寸法と同じである。故に、第１の固定具６１の踏板取付部６１１の外面を上向きにし、受材取付部６１２の外面を嵌込凹部４１４の内底面に対面させて、受材取付部６１２を嵌込凹部４１４に嵌め込むと、第１の固定具６１の踏板取付部６１１の外面（上面）は、受止面５１６に面一になる。
【００４７】
第１〜第３の受け材３１１〜３１３夫々の向きは、嵌込凹部４１１〜４１４が設けられていない面が躯体Ａ１に接し、第１〜第３の受け材３１１〜３１３の端面における嵌込凹部４１１〜４１４の開口が上向きになるような向きである。従って、作業者が第１〜第３の受け材３１１〜３１３夫々の天地及び裏表を判別することが容易である。
【００４８】
図５〜図８は、階段１１の組立方法を説明する斜視図である。図５は第１の受け材３１１の取り付けを示し、図６は第２の受け材３１２の取り付けを示し、図７は第３の受け材３１３の取り付けを示し、図８は第１〜第３の受け材３１１〜３１３に対する第１及び第２の固定具６１，６２の取り付けの取り付けを示している。
ここで、階段１１の廻り階段構造の組み立て手順について説明する。
階段１１を組み立てる作業者は、まず、階段１１を構成する各部（踏板２１１〜２１４、第１〜第３の受け材３１１〜３１３、及び第１及び第２の固定具６１，６２等）を準備する。これらは、工場にて量産されたものである。
なお、踏板２１１〜２１４、蹴込板７１１〜７１４、及び第１〜第３の受け材３１１〜３１３等は、階段１１を設置すべき現場にて作業者が形成したものであってもよい。
【００４９】
次に、作業者は、第１の受け材３１１を、躯体Ａ１の前端部左面に取り付ける（図５参照）。
このとき、作業者は、第１の受け材３１１の下端面と床面との離隔距離を所定距離にすべく第１の受け材３１１の躯体Ａ１に対する上下方向の位置決めを行なう。
また、作業者は、第１の受け材３１１の右面を躯体Ａ１の前端部左面に接触させることによって、第１の受け材３１１の躯体Ａ１に対する左右方向の位置決めを行なう。
【００５０】
更に、作業者は、係合凹部８１１の内部における第１の受け材３１１の前端面が、躯体Ａ１の前端面に面一になるように第１の受け材３１１を配置することによって、第１の受け材３１１の躯体Ａ１に対する前後方向の位置決めを行なう。
つまり、第１の受け材３１１の上下方向の位置決めは比較的煩雑であるが、第１の受け材３１１の前後左右方向の位置決めは容易である。
位置決め終了後、作業者は、第１の受け材３１１を躯体Ａ１にビス留めする。
【００５１】
次に、作業者は、第２の受け材３１２を、躯体Ａ１の前端面に取り付ける（図６参照）。
このとき、作業者は、第２の受け材３１２の係合凸部８１３の下端面を第１の受け材３１１の係合凸部８１２の上端面に載置し、第２の受け材３１２の後面を、第１の受け材３１１の係合凹部８１１における前端面及び躯体Ａ１の前端面に接触させ、第２の受け材３１２の係合凹部８１４における左端面を第１の受け材３１１の係合凸部８１２における右面に接触させることによって、第２の受け材３１２の係合凸部８１３及び係合凹部８１４を、第１の受け材３１１の係合凹部８１１及び係合凸部８１２に係合する。換言すれば、作業者は、第１の受け材３１１が第２の受け材３１２を受け止めるようにして、第１及び第２の受け材３１１，３１２を係合させる。この結果、第２の受け材３１２の躯体Ａ１に対する上下左右前後方向の位置決めが自然に行なわれる。
つまり、第２の受け材３１２の位置決めは容易である。
位置決め終了後、作業者は、第２の受け材３１２を躯体Ａ１にビス留めする。
【００５２】
次いで、作業者は、第３の受け材３１３を、躯体Ａ１の右面に取り付ける（図７参照）。
このとき、作業者は、第３の受け材３１３の係合凸部８１７の下端面を第２の受け材３１２の係合凸部８１６の上端面に載置し、第３の受け材３１３の左面を第２の受け材３１２の係合凹部８１５における右端面及び躯体Ａ１の右面に接触させ、第３の受け材３１３の係合凹部８１８における前端面を第２の受け材３１２の係合凸部８１６における後面に接触させることによって、第３の受け材３１３の係合凸部８１７及び係合凹部８１８を、第２の受け材３１２の係合凹部８１５及び係合凸部８１６に係合する。換言すれば、作業者は、第２の受け材３１２が第３の受け材３１３を受け止めるようにして、第２及び第３の受け材３１２，３１３を係合させる。この結果、第３の受け材３１３の躯体Ａ１に対する上下左右前後方向の位置決めが自然に行なわれる。
つまり、第３の受け材３１３の位置決めは容易である。
位置決め終了後、作業者は、第３の受け材３１３を躯体Ａ１にビス留めする。
【００５３】
次に、作業者は、３個の第１の固定具６１，６１，…及び第２の固定具６２を、第１〜第３の受け材３１１〜３１３に取り付ける（図８参照）。
このために、作業者は、一の第１の固定具６１の受材取付部６１２を、第１の受け材３１１に設けられている嵌込凹部４１１に嵌め込むことによって一の第１の固定具６１を第１の受け材３１１に対して位置決めし、受材取付部６１２を第１の受け材３１１にビス留めする。このとき、作業者は、受材取付部６１２を、嵌込凹部４１１における第１の受け材３１１の左面側の開口を通して嵌込凹部４１１に嵌め込んでもよく、嵌込凹部４１１における第１の受け材３１１の受止面５１１側の開口を通して嵌込凹部４１１に嵌め込んでもよい。つまり、受材取付部６１２の嵌込凹部４１１に対する嵌め込みは作業性が高い。
【００５４】
同様に、作業者は、他の第１の固定具６１の受材取付部６１２を、第２の受け材３１２に設けられている嵌込凹部４１３に嵌め込むことによって他の第１の固定具６１を第２の受け材３１２に対して位置決めし、受材取付部６１２を第２の受け材３１２にビス留めする。
また、作業者は、更に他の第１の固定具６１の受材取付部６１２を、第３の受け材３１３に設けられている嵌込凹部４１４に嵌め込むことによって更に他の第１の固定具６１を第３の受け材３１３に対して位置決めし、受材取付部６１２を第３の受け材３１３にビス留めする。
そして、作業者は、第２の固定具６２の受材取付部６２２を、第２の受け材３１２に設けられている嵌込凹部４１２に嵌め込むことによって第２の固定具６２を第２の受け材３１２に対して位置決めし、受材取付部６２２を第２の受け材３１２にビス留めする。
【００５５】
以上の結果、一の第１の固定具６１における踏板取付部６１１の上面と第１の受け材３１１の受止面５１１と第２の受け材３１２の受止面５１２とが面一になり、第２の固定具６２における踏板取付部６２１の上面と第２の受け材３１２の受止面５１３とが面一になり、他の第１の固定具６１における踏板取付部６１１の上面と第２の受け材３１２の受止面５１４とが面一になり、更に他の第１の固定具６１における踏板取付部６１１の上面と第２の受け材３１２の受止面５１５と第３の受け材３１３の受止面５１６とが面一になる（図３参照）。
第１〜第３の受け材３１１〜３１３に取り付けられることによって、第１の固定具６１，６１，…及び第２の固定具６２の踏板取付部６１１，６２１，６１１，６１１は、躯体Ａ１の前端部を中心とする平面視放射状に配される。
【００５６】
各第１の固定具６１の躯体Ａ１に対する位置決めは容易である。何故ならば、第１〜第３の受け材３１１〜３１３が躯体Ａ１に対して位置決めされているので、受材取付部６１２を嵌込凹部４１１，４１３，４１４の何れかに嵌め込めば、自動的に第１の固定具６１が躯体Ａ１に対して位置決めされるからである。
同様に、第２の固定具６２の躯体Ａ１に対する位置決めは容易である。何故ならば、第２の受け材３１２が躯体Ａ１に対して位置決めされているので、受材取付部６２２を嵌込凹部４１２に嵌め込めば自動的に第２の固定具６２が躯体Ａ１に対して位置決めされるからである。
また、第１の固定具６１，６１，…及び第２の固定具６２の第１〜第３の受け材３１１〜３１３に対するビス留めは容易である。何故ならば、第１の固定具６１，６１，…のビス留めの際、受材取付部６１２，６１２，…が嵌込凹部４１１，４１２，４１４に嵌め込まれているので、第１の固定具６１，６１，…の位置ずれが抑制されるからである。また、第２の固定具６２のビス留めの際、第２の固定具６２の受材取付部６２２が嵌込凹部４１３に嵌め込まれているので、第２の固定具６２の位置ずれが抑制されるからである。
【００５７】
作業者は、踏板２１１〜２１４を躯体Ａ１に取り付ける前に、踏板２１１〜２１４に対する蹴込板７１１〜７１４の取り付けを行なう。このために、作業者は、踏板２１１の下面の嵌合溝に、蹴込板７１１を嵌め合わせる。同様に、作業者は、踏板２１２（踏板２１３又は踏板２１４）の下面の嵌合溝に、蹴込板７１２（蹴込板７１３又は蹴込板７１４）を嵌め合わせる。
なお、蹴込板７１１〜７１４は、例えば工場にて予め踏板２１１〜２１４に取り付けてあってもよい。或いは、作業者は、踏板２１１〜２１４を躯体Ａ１に取り付けてから、踏板２１１〜２１４に対する蹴込板７１１〜７１４の取り付けを行なってもよい。
【００５８】
次いで、作業者は、踏板２１１〜２１４を躯体Ａ１に取り付ける（図２参照）。
このとき、作業者は、踏板２１１における斜辺と下底とからなる角部分の下面を第１の固定具６１の踏板取付部６１１の上面と第１の受け材３１１の受止面５１１と第２の受け材３１２の受止面５１２とに載置し、踏板取付部６１１を踏板２１１にビス留めする。この結果、第１及び第２の受け材３１１，３１２は踏板２１１の下面を受け止め、第１の固定具６１は踏板２１１を第１の受け材３１１に固定する。
【００５９】
同様に、作業者は、踏板２１２における斜辺と長い方の隣辺とからなる角部分の下面を第２の固定具６２の踏板取付部６２１の上面と第２の受け材３１２の受止面５１３とに載置し、踏板取付部６２１を踏板２１２にビス留めする。この結果、第２の受け材３１２は踏板２１２の下面を受け止め、第２の固定具６２は踏板２１２を第２の受け材３１２に固定する。
同様に、作業者は、踏板２１３における斜辺と長い方の隣辺とからなる角部分の下面を第１の固定具６１の踏板取付部６１１の上面と第２の受け材３１２の受止面５１４とに載置し、踏板取付部６１１を踏板２１３にビス留めする。この結果、第２の受け材３１２は踏板２１３の下面を受け止め、第１の固定具６１は踏板２１３を第２の受け材３１２に固定する。
【００６０】
同様に、作業者は、踏板２１４における斜辺と下底とからなる角部分の下面を第１の固定具６１の踏板取付部６１１の上面と第２の受け材３１２の受止面５１５と第３の受け材３１３の受止面５１６とに載置し、踏板取付部６１１を踏板２１４にビス留めする。この結果、第２及び第３の受け材３１２，３１３は踏板２１４の下面を受け止め、第１の固定具６１は踏板２１４を第３の受け材３１３に固定する。
【００６１】
以上のような階段１１は、第１〜第３の受け材３１１〜３１３に対する第１及び第２の固定具６１，６２の位置決め作業が簡略化され、第１〜第３の受け材３１１〜３１３の躯体Ａ１に対する位置決め作業が簡略化されている。従って、第１及び第２の固定具６１，６２の躯体Ａ１に対する位置決め作業を簡略化することができる。更に、第１の固定具６１，６１，…及び第２の固定具６２の第１〜第３の受け材３１１〜３１３に対する取り付け作業が簡略化されている。以上の結果、階段１１の施工時間を短縮することができ、階段１１の仕上がりの均一化を図ることができる。換言すれば、階段１１の施工性を向上させることができる。
【００６２】
ここで、第１及び第２の固定具６１，６２夫々が特許文献１に記載の第２の金属帯板材のような補強部を備えていない理由を、踏板２１１及び第１の固定具６１を例示して説明する。
踏板２１１は、第１及び第２の受け材３１１，３１２の受止面５１１，５１２との載置されることによって、上下方向に位置決めされ、また、第１及び第２の受け材３１１，３１２に支持される。第１の固定具６１は、踏板２１１と第１及び第２の受け材３１１，３１２とを固定することによって、踏板２１１の振動、位置ずれ、及び脱落等を抑制する。即ち、第１の固定具６１による踏板２１１の支持は、第１及び第２の受け材３１１，３１２による踏板２１１の支持の補助的なものである。故に、第１の固定具６１は、特許文献１に記載の第２の金属帯板材のような補強部を必要としない。
【００６３】
以上のような第１及び第２の固定具６１，６２は、構成が簡単である。故に、第１及び第２の固定具６１，６２は、製造が容易であり、取り扱いが簡便である。
【００６４】
仮に、第１及び第２の固定具６１，６２を用いない場合、踏板２１１〜２１４は、受止面５１１〜５１６にビス留めする必要がある。このとき、踏板２１１〜２１４夫々の表面にビスが露出するので、これらを被覆する被覆部材が別途必要になる。また、第１〜第３の受け材３１１〜３１３は、受止面５１１〜５１６に対するビス留めに耐え得る強度を必要とする。更に、踏板２１１〜２１４を安定的に載置するために、受止面５１１〜５１６の面積を広くする必要があるかもしれない。換言すれば、階段１１の設計上の制約は厳しい。
つまり、第１及び第２の固定具６１，６２を用いることによって、階段１１の設計上の制約を緩和することができる。
【００６５】
実施の形態  ２．
図９は、本発明の実施の形態２に係る階段１１の要部構成を略示する平面図である。
図１０は、階段１１が備える第１〜第３の受け材３２１〜３２３の構成を略示する側面図及び正面図である。
本実施の形態の階段１１は、実施の形態１の階段１１と略同様の構成である。以下では、実施の形態１との差異について説明し、その他、実施の形態１に対応する部分には同一符号を付してそれらの説明を省略する。
【００６６】
本実施の形態の階段１１の廻り階段構造は、均等４段右回りＵターン型である。階段１１の廻り階段構造は、各１枚の踏板２２１〜２２４と、各１個の第１〜第３の受け材３２１〜３２３と、３個の第１の固定具６１，６１，…及び１個の第２の固定具６２とを備えている。
【００６７】
第１〜第３の受け材３２１〜３２３は、実施の形態１の第１〜第３の受け材３１１〜３１３に対応する。第１の受け材３２１には、実施の形態１の嵌込凹部４１１に対応する嵌込凹部４２１が設けられている。第２の受け材３２２には、実施の形態１の嵌込凹部４１２，４１３に対応する嵌込凹部４２２，４２３が設けられている。第３の受け材３２３には、実施の形態１の嵌込凹部４１４に対応する嵌込凹部４２４が設けられている。
【００６８】
第１〜第３の受け材３２１〜３２３の形状は実施の形態１の第１〜第３の受け材３１１〜３１３とは異なる。しかしながら、第１の受け材３２１が第２の受け材３２２を受け止め、第２の受け材３２２が第３の受け材３２３を受け止めることによって、第２及び第３の受け材３２２，３２３が躯体Ａ１に対して位置決めされる点は同じである。また、第１及び第２の固定具６１，６２の受材取付部６１２，６２２が、嵌込凹部４２１〜４２４の何れかに嵌め込まれることによって、第１及び第２の固定具６１，６２が躯体Ａ１に対して位置決めされる点は同じである。
【００６９】
踏板２２１は、実施の形態１の踏板２１１に対応する。踏板２２１は、第１の受け材３２１及び第１の固定具６１を介して、躯体Ａ１の前端部に取り付けられている。
踏板２２２は、実施の形態１の踏板２１２に対応する。ただし、踏板２２２の段鼻の向きは、踏板２２１の段鼻に対して躯体Ａ１の前端部を中心に約45°上階側へ回転した向きである。踏板２２２は、第２の受け材３２２及び第２の固定具６２を介して、躯体Ａ１の前端部に取り付けられている。
【００７０】
踏板２２３は、実施の形態１の踏板２１３に対応する。踏板２２３は、第２の受け材３２２及び第１の固定具６１を介して、躯体Ａ１の前端部に取り付けられている。
踏板２２４は、実施の形態１の踏板２１４に対応する。ただし、踏板２２４の段鼻の向きは、踏板２２１の段鼻に対して躯体Ａ１の前端部を中心に約135 °上階側へ回転した向き（即ち、踏板２０２の段鼻に対して躯体Ａ１の前端部を中心に約45°下階側へ回転した向き）である。踏板２２４は、第３の受け材３２３及び第１の固定具６１を介して、躯体Ａ１の前端部に取り付けられている。
【００７１】
踏板２２１〜２２４夫々の下面における段鼻近傍には、矩形状の蹴込板７２１〜７２４が取り付けられている。
以上のような階段１１は、実施の形態１の階段１１と同様の手順で組み立てることができる。つまり、本実施の形態の階段１１は、実施の形態１の階段１１と同様の作用効果を奏する。
【００７２】
実施の形態  ３．
図１１は、本発明の実施の形態３に係る階段１２の要部構成を略示する平面図である。
図１２は、階段１２が備える第１及び第２の受け材３３１，３３２の構成を略示する側面図及び正面図である。
本実施の形態の階段１２は、実施の形態１，２の階段１１と略同様の構成である。以下では、実施の形態１，２との差異について説明し、その他、実施の形態１，２に対応する部分には同一符号を付してそれらの説明を省略する。
【００７３】
階段１２は、躯体Ａ２と壁面Ｂ１，Ｂ４との間に設けられている。躯体Ａ２は、左面及び前面を有する壁体である。壁面Ｂ１は躯体Ａ２の左面（下階側の面）に対面する右向きの平面であり、壁面Ｂ４は躯体Ａ２の前面（上階側の面）に対面する後ろ向きの平面である。
【００７４】
階段１２は、下階側の直階段構造と、上階側の直階段構造と、下階側及び上階側の直階段構造同士を連結する廻り階段構造とを備えている。下階側の直階段構造の昇降方向と上階側の直階段構造の昇降方向とは平面視で90°異なる。本実施の形態の廻り階段構造は、均等２段右回りＬターン型である。
【００７５】
階段１２の下階側の直階段構造は、階段１２の下階側の直階段構造と同様の構成である。
階段１２の上階側の直階段構造は、各矩形状の複数枚の踏板２０３，２０３，…を備えている。踏板２０３，２０３，…は、前後方向両端部が躯体Ａ２の前面及び壁面Ｂ４に取り付けられている。踏板２０３夫々の下面における段鼻近傍には、矩形状の蹴込板７０３が取り付けられている。
【００７６】
階段１２の廻り階段構造は、各１枚の踏板２２１，２２２と、各１個の第１及び第２の受け材３３１，３３２と、各１個の第１及び第２の固定具６１，６２とを備えている。
第１及び第２の受け材３３１，３３２は、実施の形態２の第１及び第２の受け材３２１，３２２に対応する。第１の受け材３３１には、実施の形態２の嵌込凹部４２１に対応する嵌込凹部４３１が設けられている。第２の受け材３３２には、実施の形態２の嵌込凹部４２２に対応する嵌込凹部４３２が設けられている。
【００７７】
第１及び第２の受け材３３１，３３２の形状は実施の形態２の第１及び第２の受け材３２１，３２２とは異なる。しかしながら、第１の受け材３３１が第２の受け材３３２を受け止めることによって、第２の受け材３３２が躯体Ａ２に対して位置決めされる点は同じである。また、第１及び第２の固定具６１，６２の受材取付部６１２，６２２が、嵌込凹部４３１，４３２に嵌め込まれることによって、第１及び第２の固定具６１，６２が躯体Ａ２に対して位置決めされる点は同じである。
階段１２は、第３の受け材を備えていない。故に、実施の形態１において第３の受け材３１３に設けられている連結凹部と同様のものが、第２の受け材３３２に設けられている。
【００７８】
踏板２２１は、第１の受け材３３１及び第１の固定具６１を介して、躯体Ａ２の前端角部に取り付けられている。
踏板２２２は、第２の受け材３３２及び第２の固定具６２を介して、躯体Ａ２の前端角部に取り付けられている。
以上のような階段１２は、階段１１と略同様の手順で組み立てることができる。つまり、階段１２は、階段１１と同様の作用効果を奏する。
【００７９】
実施の形態  ４．
図１３は、本発明の実施の形態４に係る階段１１の要部構成を略示する平面図である。
図１４は、階段１１が備える第１〜第３の受け材３４１〜３４３の構成を略示する側面図及び正面図である。
本実施の形態の階段１１は、実施の形態１〜３の階段１１，１２と略同様の構成である。以下では、実施の形態１〜３との差異について説明し、その他、実施の形態１〜３に対応する部分には同一符号を付してそれらの説明を省略する。
【００８０】
本実施の形態の階段１１の廻り階段構造は、均等６段右回りＵターン型である。階段１１の廻り階段構造は、各１枚の踏板２４１〜２４６と、各１個の第１〜第３の受け材３４１〜３４３と、３個の第１の固定具６１，６１，…、第２の固定具６２、及び図示しない２個の第３の固定具とを備えている。
第３の固定具に関し、踏板取付部は、受材取付部から見て右斜め前方へ突出する。即ち、第３の固定具の形状は、第２の固定具６２の形状の鏡像である。
【００８１】
第１〜第３の受け材３４１〜３４３は、実施の形態１の第１〜第３の受け材３１１〜３１３に対応する。ただし、本実施の形態の階段１１は、実施の形態１の階段１１よりも踏板の枚数が２枚多いので、第１〜第３の受け材３４１〜３４３には、６個の嵌込凹部４４１〜４４６が設けられている。
第１の受け材３４１の上部には、２個の受止面が設けられており、これらの受止面に対応して嵌込凹部４４１，４４２が設けられている。２個の受止面は、嵌込凹部４４１に対応するものを下階側とする直階段状に配されている。
【００８２】
第２の受け材３４２の上部には、３個の受止面が設けられており、これらの受止面に対応して嵌込凹部４４３〜４４５が設けられている。３個の受止面は、嵌込凹部４４３に対応するもの、嵌込凹部４４４に対応するもの、及び嵌込凹部４４５に対応するものの順に下階側から上階側へ向かう直階段状に配されている。
第３の受け材３４３には１個の受止面が設けられており、この受止面に対応して嵌込凹部４４６が設けられている。
【００８３】
第２及び第３の受け材３４２，３４３は、第１の受け材３４１が第２の受け材３４２を受け止め、第２の受け材３４２が第３の受け材３４３を受け止めることによって、躯体Ａ１に対して位置決めされる。また、第１及び第２の固定具６１，６２並びに第３の固定具は、第１及び第２の固定具６１，６２の受材取付部６１２，６２２並びに第３の固定具の受材取付部夫々が、嵌込凹部４４１〜４４６の何れかに嵌め込まれることによって、躯体Ａ１に対して位置決めされる。
【００８４】
踏板２４１の段鼻の向きは、踏板２０１の段鼻の向きと同じである。踏板２４１は、第１の受け材３４１及び第１の固定具６１を介して、躯体Ａ１の前端部に取り付けられている。踏板２４１に対応する第１の固定具６１は、嵌込凹部４４１に嵌め込まれている。
踏板２４２の段鼻の向きは、踏板２４１の段鼻に対して躯体Ａ１の前端部を中心に約30°上階側へ回転した向きである。踏板２４２は、第１の受け材３４１及び第３の固定具を介して、躯体Ａ１の前端部に取り付けられている。踏板２４２に対応する第３の固定具は、嵌込凹部４４２に嵌め込まれている。
【００８５】
踏板２４３の段鼻の向きは、踏板２４１の段鼻に対して躯体Ａ１の前端部を中心に約60°上階側へ回転した向きである。踏板２４３は、第２の受け材３４２及び第２の固定具６２を介して、躯体Ａ１の前端部に取り付けられている。踏板２４３に対応する第２の固定具６２は、嵌込凹部４４３に嵌め込まれている。
踏板２４４の段鼻の向きは、踏板２４１の段鼻に対して躯体Ａ１の前端部を中心に約90°上階側へ回転した向きである。踏板２４４は、第２の受け材３４２及び第１の固定具６１を介して、躯体Ａ１の前端部に取り付けられている。踏板２４４に対応する第１の固定具６１は、嵌込凹部４４４に嵌め込まれている。
【００８６】
踏板２４５の段鼻の向きは、踏板２４１の段鼻に対して躯体Ａ１の前端部を中心に約120 °上階側へ回転した向きである。踏板２４５は、第２の受け材３４２及び第３の固定具を介して、躯体Ａ１の前端部に取り付けられている。踏板２４５に対応する第３の固定具は、嵌込凹部４４５に嵌め込まれている。
踏板２４６の段鼻の向きは、踏板２４１の段鼻に対して躯体Ａ１の前端部を中心に約150 °上階側へ回転した向き（即ち、踏板２０２の段鼻に対して躯体Ａ１の前端部を中心に約30°下階側へ回転した向き）である。踏板２４６は、第３の受け材３４３及び第１の固定具６１を介して、躯体Ａ１の前端部に取り付けられている。踏板２４６に対応する第１の固定具６１は、嵌込凹部４４６に嵌め込まれている。
【００８７】
踏板２４１〜２４６夫々の下面における段鼻近傍には、矩形状の蹴込板７４１〜７４６が取り付けられている。
以上のような階段１１は、実施の形態１の階段１１と同様の手順で組み立てることができる。つまり、本実施の形態の階段１１は、実施の形態１の階段１１と同様の作用効果を奏する。
【００８８】
実施の形態  ５．
図１５は、本発明の実施の形態５に係る階段１２の要部構成を略示する平面図である。
図１６は、階段１２が備える第１及び第２の受け材３５１，３５２の構成を略示する側面図及び正面図である。
本実施の形態の階段１２は、実施の形態１〜４の階段１１，１２と略同様の構成である。以下では、実施の形態１〜４との差異について説明し、その他、実施の形態１〜４に対応する部分には同一符号を付してそれらの説明を省略する。
【００８９】
実施の形態の階段１２の廻り階段構造は、均等３段右回りＬターン型である。階段１２の廻り階段構造は、各１枚の踏板２４１〜２４３と、各１個の第１及び第２の受け材３５１，３５２と、各１個の第１の固定具６１〜第３の固定具とを備えている。
第１及び第２の受け材３５１，３５２は、実施の形態４の第１及び第２の受け材３４１，３４２に対応する。第１の受け材３５１には、実施の形態４の嵌込凹部４４１，４４２に対応する嵌込凹部４５１，４５２が設けられている。第２の受け材３５２には、実施の形態４の嵌込凹部４４３に対応する嵌込凹部４５３がと、連結凹部とが設けられている。
【００９０】
第２の受け材３５２は、第１の受け材３５１が第２の受け材３５２を受け止めることによって、躯体Ａ２に対して位置決めされる。また、第１の固定具６１〜第３の固定具は、第１及び第２の固定具６１，６２の受材取付部６１２，６２２並びに第３の固定具の受材取付部夫々が、嵌込凹部４５１〜４５３の何れかに嵌め込まれることによって、躯体Ａ２に対して位置決めされる。
【００９１】
踏板２４１は、第１の受け材３５１及び第１の固定具６１を介して、躯体Ａ２の前端角部に取り付けられている。
踏板２４２は、第１の受け材３５１及び第３の固定具を介して、躯体Ａ２の前端角部に取り付けられている。
踏板２４３は、第２の受け材３５２及び第２の固定具６２を介して、躯体Ａ２の前端角部に取り付けられている。
以上のような階段１２は、階段１１と略同様の手順で組み立てることができる。つまり、階段１２は、階段１１と同様の作用効果を奏する。
【００９２】
実施の形態  ６．
図１７は、本発明の実施の形態６に係る階段１１の要部構成を略示する平面図である。
図１８は、階段１１が備える第１〜第３の受け材３６１〜３６３の構成を略示する側面図及び正面図である。
本実施の形態の階段１１は、実施の形態１〜５の階段１１，１２と略同様の構成である。以下では、実施の形態１〜５との差異について説明し、その他、実施の形態１〜５に対応する部分には同一符号を付してそれらの説明を省略する。
【００９３】
本実施の形態の階段１１の廻り階段構造は、均等５段右回りＵターン型である。階段１１の廻り階段構造は、各１枚の踏板２６１〜２６５と、各１個の第１〜第３の受け材３６１〜３６３と、３個の第１の固定具６１，６１，…、並びに各１個の第２の固定具６２及び第３の固定具とを備えている。
【００９４】
第１〜第３の受け材３６１〜３６３は、実施の形態１の第１〜第３の受け材３１１〜３１３に対応する。ただし、本実施の形態の階段１１は、実施の形態１の階段１１よりも踏板の枚数が１枚多いので、第１〜第３の受け材３６１〜３６３には、５個の嵌込凹部４６１〜４６５が設けられている。
第１の受け材３６１には、嵌込凹部４６１が設けられている。
第２の受け材３６２には、嵌込凹部４６２〜４６４が設けられている。
第３の受け材３６３には、嵌込凹部４６５が設けられている。
【００９５】
第２及び第３の受け材３６２，３６３は、第１の受け材３６１が第２の受け材３６２を受け止め、第２の受け材３６２が第３の受け材３６３を受け止めることによって、躯体Ａ１に対して位置決めされる。また、第１の固定具６１〜第３の固定具は、第１及び第２の固定具６１，６２の受材取付部６１２，６２２及び第３の固定具の受材取付部が、嵌込凹部４６１〜４６５の何れかに嵌め込まれることによって、躯体Ａ１に対して位置決めされる。
【００９６】
踏板２６１の段鼻の向きは、踏板２０１の段鼻の向きと同じである。踏板２６１は、第１の受け材３６１及び第１の固定具６１を介して、躯体Ａ１の前端部に取り付けられている。踏板２６１に対応する第１の固定具６１は、嵌込凹部４６１に嵌め込まれている。
踏板２６２の段鼻の向きは、踏板２６１の段鼻に対して躯体Ａ１の前端部を中心に約36°上階側へ回転した向きである。踏板２６２は、第２の受け材３６２及び第２の固定具６２を介して、躯体Ａ１の前端部に取り付けられている。踏板２６２に対応する第２の固定具６２は、嵌込凹部４６２に嵌め込まれている。
【００９７】
踏板２６３の段鼻の向きは、踏板２６１の段鼻に対して躯体Ａ１の前端部を中心に約72°上階側へ回転した向きである。踏板２６３は、第２の受け材３６２及び第１の固定具６１を介して、躯体Ａ１の前端部に取り付けられている。踏板２６３に対応する第１の固定具６１は、嵌込凹部４６３に嵌め込まれている。
踏板２６４の段鼻の向きは、踏板２６１の段鼻に対して躯体Ａ１の前端部を中心に約108 °上階側へ回転した向きである。踏板２６４は、第２の受け材３６２及び第３の固定具を介して、躯体Ａ１の前端部に取り付けられている。踏板２６４に対応する第３の固定具は、嵌込凹部４６４に嵌め込まれている。
【００９８】
踏板２６５の段鼻の向きは、踏板２６１の段鼻に対して躯体Ａ１の前端部を中心に約144 °上階側へ回転した向き（即ち、踏板２０２の段鼻に対して躯体Ａ１の前端部を中心に約36°下階側へ回転した向き）である。踏板２６５は、第３の受け材３６３及び第１の固定具６１を介して、躯体Ａ１の前端部に取り付けられている。踏板２６５に対応する第１の固定具６１は、嵌込凹部４６５に嵌め込まれている。
踏板２６１〜２６５夫々の下面における段鼻近傍には、矩形状の蹴込板７６１〜７６５が取り付けられている。
以上のような階段１１は、実施の形態１の階段１１と同様の手順で組み立てることができる。つまり、本実施の形態の階段１１は、実施の形態１の階段１１と同様の作用効果を奏する。
【００９９】
実施の形態  ７．
図１９は、本発明の実施の形態７に係る階段１１の要部構成を略示する平面図である。
図２０は、階段１１が備える第１〜第３の受け材３７１〜３７３の構成を略示する側面図及び正面図である。
本実施の形態の階段１１は、実施の形態１〜６の階段１１，１２と略同様の構成である。以下では、実施の形態１〜６との差異について説明し、その他、実施の形態１〜６に対応する部分には同一符号を付してそれらの説明を省略する。
【０１００】
本実施の形態の階段１１の廻り階段構造は、２個の踊り場を有する右回りＵターン型である。
階段１１の廻り階段構造は、各１枚の踏板２７１，２７２と、各１個の第１〜第３の受け材３７１〜３７３と、２個の第１の固定具６１，６１とを備えている。
【０１０１】
第１〜第３の受け材３７１〜３７３は、実施の形態１の第１〜第３の受け材３１１〜３１３に対応する。ただし、本実施の形態の階段１１は、実施の形態１の階段１１よりも踏板の枚数が２枚少ないので、第３の受け材３７３には、嵌込凹部は設けられていない。
第１の受け材３７１には、嵌込凹部４７１が設けられている。
第２の受け材３７２には、嵌込凹部４７２が設けられている。
第３の受け材３７３には、連結凹部が設けられている。
【０１０２】
第２及び第３の受け材３７２，３７３は、第１の受け材３７１が第２の受け材３７２を受け止め、第２の受け材３７２が第３の受け材３７３を受け止めることによって、躯体Ａ１に対して位置決めされる。また、第１の固定具６１は、第１の固定具６１の受材取付部６１２が、嵌込凹部４７１，４７２の何れかに嵌め込まれることによって、躯体Ａ１に対して位置決めされる。
【０１０３】
踏板２７１の段鼻の向きは、踏板２０１の段鼻の向きと同じである。踏板２７１は、第１の受け材３７１及び第１の固定具６１を介して、躯体Ａ１の前端部に取り付けられている。踏板２７１に対応する第１の固定具６１は、嵌込凹部４７１に嵌め込まれている。
踏板２７２の段鼻の向きは、踏板２７１の段鼻に対して躯体Ａ１の前端部を中心に約90°上階側へ回転した向きである。踏板２７２は、第２の受け材３７２及び第１の固定具６１を介して、躯体Ａ１の前端部に取り付けられている。踏板２７２に対応する第１の固定具６１は、嵌込凹部４７２に嵌め込まれている。
踏板２７１，２７２夫々の下面における段鼻近傍には、矩形状の蹴込板７７１，７７２が取り付けられている。
【０１０４】
以上のような階段１１は、実施の形態１の階段１１と同様の手順で組み立てることができる。つまり、本実施の形態の階段１１は、実施の形態１の階段１１と同様の作用効果を奏する。
【０１０５】
実施の形態  ８．
図２１は、本発明の実施の形態８に係る階段１２の要部構成を略示する平面図である。
図２２は、階段１２が備える第１及び第２の受け材３８１，３８２の構成を略示する側面図及び正面図である。
本実施の形態の階段１２は、実施の形態１〜７の階段１１，１２と略同様の構成である。以下では、実施の形態１〜７との差異について説明し、その他、実施の形態１〜７に対応する部分には同一符号を付してそれらの説明を省略する。
【０１０６】
本実施の形態の階段１２の廻り階段構造は、１個の踊り場を有する右回りＬターン型である。階段１２の廻り階段構造は、踏板２７１と、各１個の第１及び第２の受け材３８１，３８２と、第１の固定具６１とを備えている。
第１の受け材３８１は、実施の形態７の第１の受け材３７１に対応する。第１の受け材３８１には、実施の形態７の嵌込凹部４７１に対応する嵌込凹部４８１が設けられている。
第２の受け材３８２は、実施の形態７の第２の受け材３７２に対応する。ただし、第２の受け材３８２には、嵌込凹部は設けられておらず、連結凹部が設けられている。
【０１０７】
第２の受け材３８２は、第１の受け材３８１が第２の受け材３８２を受け止めることによって、躯体Ａ２に対して位置決めされる。また、第１の固定具６１は、第１の固定具６１の受材取付部６１２が、嵌込凹部４８１に嵌め込まれることによって、躯体Ａ２に対して位置決めされる。
踏板２７１は、第１の受け材３８１及び第１の固定具６１を介して、躯体Ａ２の前端角部に取り付けられている。
以上のような階段１２は、階段１１と略同様の手順で組み立てることができる。つまり、階段１２は、階段１１と同様の作用効果を奏する。
【０１０８】
実施の形態１〜８では、右回りＵターン型の階段１１と、右回りＬターン型の階段１２とを例示したが、本発明の実施の形態の階段は、これらに限定されるものではない。
躯体Ａ１は壁体に限定されず、柱体でもよい。
【０１０９】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、階段１１，１２に、実施の形態１〜８に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【０１１０】
１１，１２  階段
２１１〜２１４，２２１〜２２４，２４１〜２４６，２６１〜２６５，２７１，２７２  踏板
３１１，３２１，３３１，３４１，３５１，３６１，３７１，３８１  第１の受け材（受け材）
３１２，３２２，３３２，３４２，３５２，３６２，３７２，３８２  第２の受け材（受け材）
３１３，３２３，３４３，３６３，３７３  第３の受け材（受け材）
４１１〜４１４，４２１〜４２４，４３１，４３２，４４１〜４４６，４５１〜４５３，４６１〜４６５，４７１，４７２，４８１  嵌込凹部
５１１〜５１６  受止面
６１，６２  第１及び第２の固定具（固定具）
６１１，６２１  踏板取付部
６１２，６２２  受材取付部
Ａ１，Ａ２  躯体
【図１】
2015227539.tif 000003
【図２】
2015227539.tif 000004
【図３】
2015227539.tif 000005
【図４】
2015227539.tif 000006
【図５】
2015227539.tif 000007
【図６】
2015227539.tif 000008
【図７】
2015227539.tif 000009
【図８】
2015227539.tif 000010
【図９】
2015227539.tif 000011
【図１０】
2015227539.tif 000012
【図１１】
2015227539.tif 000013
【図１２】
2015227539.tif 000014
【図１３】
2015227539.tif 000015
【図１４】
2015227539.tif 000016
【図１５】
2015227539.tif 000017
【図１６】
2015227539.tif 000018
【図１７】
2015227539.tif 000019
【図１８】
2015227539.tif 000020
【図１９】
2015227539.tif 000021
【図２０】
2015227539.tif 000022
【図２１】
2015227539.tif 000023
【図２２】
2015227539.tif 000024